(57)【特許請求の範囲】
【請求項１】
階段上に敷かれたジュウタンやカーペット等の敷物(２００)の上面で、かつ階段踏み面(１００)とけこみ面(１０１)との角部の階段長手方向において、前記敷物(２００)を上方より押えて留めるための押え留め具であって、
アクリル樹脂等の硬質樹脂製の中空部（３）を有する押えパイプ体（１）と、
該押えパイプ体（１）の両端部が遊嵌されて支持される一対の円筒支持体（９）を含み、
前記押えパイプ体（１）は、前記階段踏み面（１００）側の長手方向に向けて多数の穴（２）が明けられるとともに、両端部の端面軸方向にはそれぞれ直接的または間接的に突設された弾性体係止部（７）を介してコイルばね等の弾性体（８）が係止装着され、
前記一対の円筒支持体（９）は、前記押えパイプ体(１)の前記弾性体（８）を含む両方の端部が遊嵌される開口部（１０）を有する有底の円筒体であって、その開口部（１０）と対向する閉塞側面（１１）の内側部位には、前記弾性体（８）が当接する弾性体受部（１２）が突設されるとともに、軸方向上面の中央部位には、垂直方向にねじ穴（１３）を有する膨出部（１４）が一体に突設されて、前記ねじ穴（１３）には頭付き押えねじ（１５）がそれぞれねじ込まれて立設され、さらに前記閉塞側面（１１）の外側面にはそれぞれゴム製のクッション性滑り留め部材（１６）が取り付けされて構成され、
前記押えパイプ体（１）の中空部（３）には光ファイバー等からなる照明線部材（２２）が挿着されて、前記一対の円筒支持体（９）内には、その開口部（１０）側から前記押えパイプ体(１)の両方の弾性体（８）が前記弾性体受部（１２）に当接するようにして遊嵌され、この状態で、前記両方の円筒支持体（９）の前記クッション性滑り留め部材（１６）が弾性体（８）の弾力に抗して階段の両方の壁面(１０２、１０３)に当接せられてセットされ、かつ前記頭付き押えねじ（１５）のねじ込みによるねじ端で前記遊嵌されている押えパイプ体(１)の両方の端部上面が固定的に押えられ、前記階段上に覆われている敷物(２００)の上面で、かつ階段踏み面(１００)とけこみ面(１０１)との角部の階段長手方向において、前記階段用敷物(２００)が上方より押え留めされる構成を特徴とする階段用敷物の押え留め具。
【発明の詳細な説明】
【技術分野】
【０００１】
本発明は、ホテルや旅館等の宿泊施設や公共施設等の階段において、階段上に覆われたジュタンやカーペット等の敷物の浮き上り防止するため、敷物の上面で、かつ階段踏み面とけこみ面との角部の階段長手方向において、敷物を上方より押えて留めるための階段用敷物の押え留め具に関するものである。
【背景技術】
【０００２】
従来において、ホテル等の階段に敷かれたジュウタン等の敷物の浮き上りを防ぐには、敷物の上面で、かつ階段踏み面とけこみ面との角部の階段長手方向を金属棒で押え、この金属棒の両端は階段の壁面にねじ止めにて固着していた。
【０００３】
この従来方法では、金属棒の両端を階段壁面にねじ着しなければならないために、階段壁面にねじ穴を明けることになって階段壁面に傷を付けることになるばかりか、外観上の見てくれ上においても好ましくはない。
【０００４】
また、ねじ着のために工具を要し、作業性も悪いという問題点があった。
【発明の開示】
【発明が解決しようとする課題】
【０００５】
本発明が解決しようとする問題点は、階段上に敷設したジュウタン等の敷物の浮き上りを防ぐために、敷物を踏み面とけこみ面との角部の階段長手方向において、金属棒等の押え棒で押えて留める場合に、階段の壁面にねじ穴を明けてねじ着しなければならず、外観体裁上において見てくれが悪く、また、その作業性も悪いという点である。
【０００６】
したがって、本発明の目的は、階段上に敷設したジュウタン等の敷物を、階段の踏み面とけこみ面との角部の階段長手方向において、押え部材で押えて留める場合に、階段壁面にねじ穴を明けるなど階段壁面に何らの傷を付けることなく、敷物を簡易にして、かつ安全確実に押え留めすることができる階段用敷物の押え留め具を提供することにある。
【０００７】
また、本発明の他の目的は、夜間等の暗くなった場合における階段踏み面の目視確認が確実になし得て、その安全効果が得られる階段用敷物の押え留め具を提供することにある。
【０００８】
これらの目的のため、本発明の請求項1に記載の階段用敷物の押え留め具は、  アクリル樹脂等の硬質樹脂製の中空部３を有する押えパイプ体１と、
該押えパイプ体１の両端部が遊嵌されて支持される一対の円筒支持体９を含み、
前記押えパイプ体１は、前記階段踏み面１００側の長手方向に向けて多数の穴２が明けられるとともに、両端部の端面軸方向にはそれぞれ直接的または間接的に突設された弾性体係止部７を介してコイルばね等の弾性体８が係止装着され、
前記一対の円筒支持体９は、前記押えパイプ体１の前記弾性体８を含む両方の端部が遊嵌される開口部１０を有する有底の円筒体であって、その開口部１０と対向する閉塞側面１１の内側部位には、前記弾性体８が当接する弾性体受部１２が突設されるとともに、軸方向上面の中央部位には、垂直方向にねじ穴１３を有する膨出部１４が一体に突設されて、前記ねじ穴１３には頭付き押えねじ１５がそれぞれねじ込まれて立設され、さらに前記閉塞側面１１の外側面にはそれぞれゴム製のクッション性滑り留め部材１６が取り付けされて構成され、
前記押えパイプ体１の中空部３には光ファイバー等からなる照明線部材２２が挿着されて、前記一対の円筒支持体９内には、その開口部１０側から前記押えパイプ体１の両方の弾性体８が前記弾性体受部１２に当接するようにして遊嵌され、この状態で、前記両方の円筒支持体９の前記クッション性滑り留め部材１６が弾性体８の弾力に抗して階段の両方の壁面１０２、１０３に当接せられてセットされ、かつ前記頭付き押えねじ１５のねじ込みによるねじ端で前記遊嵌されている押えパイプ体１の両方の端部上面が固定的に押えられ、前記階段上に覆われている敷物２００の上面で、かつ階段踏み面１００とけこみ面１０１との角部の階段長手方向において、前記階段用敷物２００が上方より押え留めされる構成を特徴とするものである。
【発明の効果】
【０００９】
請求項1に記載の発明によれば、一対の円筒支持体内にその開口部側から押えパイプ体の両方の弾性体が弾性体受部に当接するようにして遊嵌され、この状態で、両方の円筒支持体のクッション性滑り留め部材が弾性体の弾力に抗して階段の両方の壁面に当接せられてセットされ、かつ頭付き押えねじのねじ込みによるねじ端で遊嵌されている押えパイプ体の両方の端部上面が固定的に押えられて、階段上に敷設されている敷物の上面で、かつ階段踏み面とけこみ面との角部の階段長手方向において、階段用敷物が上方より押え留めされるものであるから、階段壁面にねじ穴を明けるなど階段壁面に何らの傷を付けることなく、敷物を簡易にして、かつ安全確実に敷押え留めすることができる。
【００１０】
また、押えパイプ体の中空部には光ファイバー等からなる照明線部材が挿着され、この照明線部材による発光や点滅照明は多数の穴から外部に照射されるものであるから、夜間等の暗くなった場合における階段踏み面の目視確認が確実になし得て、その安全効果が得られる。
【発明を実施するための最良の形態】
【００１１】
以下に図面を参照して、本願に係る発明を実施するための最良の形態についてその作用と共に説明する。
【００１２】
図１は、本発明に係る階段用敷物の押え留め具の一例での設置位置を示す一部省略の概略側面図、図２は、同上の一部を省略し、かつ一部を断面して示す平面図、図３は、本発明に係る階段用敷物の押え留め具の一例での一部省略の平面図で、図４は、図３の４方向から見た端面図、図５は、一部を省略した要部の側断面図で、本実施例において、本階段用敷物の押え留め具は、階段上に敷かれたジュウタンやカーペット等の敷物２００の上面で、かつ階段踏み面１００とけこみ面１０１との角部の階段長手方向において、敷物２００を上方より押えて留めるための押え留め具であって、押えパイプ体と、該押えパイプ体の両端部が遊嵌される一対の円筒支持体等を含んでいる。
【００１３】
押えパイプ体１は、アクリル樹脂等の好ましくは透明な硬質樹脂製あって中空部３を有し、その全長は、階段の踏み面１００の長手方向の長さよりもやや短く、その径は、例えば２０〜３０mmの丸パイプ体となっている。
【００１４】
押えパイプ体１の長手方向には、図５、図７および図８に示されているように、階段踏み面１００側（一方向）に向けて等間隔の一列状態で、中空部３と連通する多数の穴２が明けられており。また、後述する照明線部材２２の挿入用穴２１が明けられている。
【００１５】
なお、本実施例において、押えパイプ体１は丸形としたが、これに限定されず角形としてもよい。
【００１６】
押えパイプ体１の両端外周に刻設された雄ねじ部４には、それぞれ雌ねじ部５が周設されたねじ穴を有する断面コ字形状の円筒状キャップ体６が一体的に冠着されている。
【００１７】
円筒状キャップ体６は、硬質樹脂材による一体成形品として得られ、開口部と対向する閉塞側面の中央部位には、弾性体係止部７が一体に突設され、該弾性体係止部７にはコイルばね、ゴム等の弾性体８の一端が軸方向に向けて係止装着されている。
【００１８】
一対の円筒支持体９は、好ましくは硬質合成樹脂材による成形品として得られるものであって、押えパイプ１の端部２遊嵌される開口部１０を有する有底の短形の丸形筒状体で、図３から図６に示されているように、開口部１０と対向する閉塞側面１１の内側中央部位には、弾性体８の先端部が当接する弾性体受部１２が一体に突設されている。    
【００１９】
また、一対の円筒支持体９における軸方向のケース上面にして、かつ開口部１０に近接した中央部位には、垂直方向に金属製のねじ穴１３がモールドされた膨出部１４が一体に突設され、金属製のねじ穴１３には頭付き押えねじ１５がそれぞれねじ込まれて立設されている。
【００２０】
また、一対の円筒支持体９における閉塞側面１１の内外面の上下部の二個所には、軟質ゴム製のクッション性滑り止め部材１６が取り付けられ、使用時において、このクッション性滑り止め部材１６によって、階段壁面１０２、１０３を損傷等しないようになっている。
【００２１】
このクッション性滑り止め部材１６は、図６に示されているように、やや大径の円形部１７と、この円形部１７とＨ状に一体に連結され、かつ中心に盲穴１８を有するやや小径の円形部１９を含み、このクッション性滑り止め部材１６は、円筒支持体９の閉塞側面１１の上下部の二個所に明けられた貫通穴２０に、外側よりやや小径の円形部１９をその盲穴１８を介しての変形によって圧入し、やや小径の円形部１９が内側とされ、やや大径の円形部１７が外側とされて抜け出ないように一体的に取り付けされている。        
【００２２】
なお、一対の円筒支持体９は、押えパイプ体１と対応させて丸形の筒状体としたが、これに限定されず、押えパイプ体が角形の場合には、これに対応した角形筒状体としてもよい。
【００２３】
押えパイプ体１の中空部３には、その挿入用穴２１から照明線部材２２が挿入されて、該照明線部材２２が光源（図示しない）の点灯により発光してこれが多数の穴２から外部に照射され、階段の踏み面個所が目視できるようになっている。
【００２４】
なお、照明線部材２２は、例えば、複数本の光ファイバーを結束したものでもよく、また、発光ダイオード（ＬＥＤ）素子の組み込まれた部材であってもよい。
【００２５】
このように構成された本押え留め具は、図１、図２、図５に示されているように、押えパイプ体１の両端部が、一対の円筒支持体９の開口部１０側からその弾性体８の端部が弾性体受部１２に当接するようにしてそれぞれ遊嵌され、この状態で、両方の円筒支持体９のクッション性滑り止め部材１６を弾性体８の弾力に抗して階段の両方の壁面１０２、１０３に当接させて、階段上に覆われた階段用敷物２００の上面において、階段踏み面１００とけこみ面１０１との角部の階段長手方向にセットされる。  
【００２６】
すると、押えパイプ体１は、弾性体８の弾発力によって壁面１０２、１０３側に押圧されて、それぞれの円筒支持体９と共にクッション性滑り留め部材１６は壁面１０２、１０３に固定的に押し付けられる。
【００２７】
次いで、頭付き押えねじ１５のねじ込みによるねじ端で、遊嵌されている押えパイプ体１の両方の端部上面を固定的に押えれば、階段上に覆われた階段用敷物２００の上面で、かつ階段踏み面１００とけこみ面１０１との角部の階段長手方向において、階段用敷物２００は上方より押えられて浮き上りが防止されるとともに、照明線部材２２の発光により階段踏み面個所がはっきりと目視される。    
【図面の簡単な説明】
【００２８】
【図１】本発明に係る階段用敷物の押え留め具の一例での設置位置を示す一部省略の概略側面図である。
【図２】同上の一部を省略し、かつ一部を断面して示す平面図である。
【図３】本発明に係る階段用敷物の押え留め具の一例での一部省略の平面図である。
【図４】図３の４方向から見た端面図である。
【図５】一部を省略した要部の側断面図である。
【図６】クッション性滑り止め部材の取り付け状態を示す拡大断面図である。
【図７】押えパイプ体の部分拡大側面図である。
【図８】図７の８−８線に沿った断面図である。
【符号の説明】
【００２９】
１    押えパイプ体
２    穴
３    中空部
６    円筒状キャップ体    
７    弾性体係止部
８    弾性体
９    一対の円筒支持体
１０    開口部
１１    閉塞側面
１２    弾性体受部
１３    ねじ穴
１４    膨出部
１５    頭付き押えねじ
１６    クッション性滑り留め部材
２２    照明線部材
１００    階段踏み面
１０１    階段けこみ面
１０２、１０３    階段壁面
２００    階段用敷物
【要約】
【課題】階段上に敷設した敷物を、階段の踏み面とけこみ面との角部の階段長手方向において、簡易にして、かつ安全確実に押え留めすることができる敷物の押え留め具を提供すること。
【解決手段】押えパイプ体１の両端部の弾性体８の端部が、一対の円筒支持体９内の弾性体受部１２に当接するようにして円筒支持体９内に遊嵌され、両方の円筒支持体側のクッション性滑り留め部材１６が階段の両方の壁面１０２、１０３に当接せられてセットされ、頭付き押えねじ１５のねじ穴１３へのねじ込みによって、そのねじ端で押えパイプ体１の両方の端部上面が固定的に押えられ、階段上に覆われた階段用敷物の上面で、かつ階段踏み面とけこみ面との角部の階段長手方向において、階段用敷物が上方より押えられて留められる。
【選択図】    図５【図１】
0004016065.tif 000002
【図２】
0004016065.tif 000003
【図３】
0004016065.tif 000004
【図４】
0004016065.tif 000005
【図５】
0004016065.tif 000006
【図６】
0004016065.tif 000007
【図７】
0004016065.tif 000008
【図８】
0004016065.tif 000009